(57)【要約】【課題】  下走り式折戸を作業者一人で短時間で簡単に取り付けることができると共に、ガタツキ無く確実に組み込むことのできる下走り式折戸の支持装置を簡単な構造で提供する。【解決手段】  上レール３に嵌め込まれて所望の位置で固定手段５により固定される嵌め込み部材６と、上レール３に装着された上部ライナー７と、嵌め込み部材６並びに上部ライナー７から垂下され且つ下端にの鍔部８を有する支持軸９と、折戸１の両端上部に取り付けられた保持部材１０と、折戸１の一端に配置される下部固定部２０と、折戸の他端下部に設けられた下部ライナー３０とからなり、前記保持部材１０は鍔部８を受け入れてロックするロック部１２を備え、前記下部固定部２０は、下レール４に固定されて折戸からのピン２３を折戸荷重を受けた状態で定着させるピン受け部材２２を備えている構成。【選択図】図１
2010121362.tif 000002
【特許請求の範囲】
【請求項１】
ヒンジによって連結された左右一対の戸板からなる折戸と、折戸を取り付ける枠体の開口部の上下に設けられた上レール並びに下レールと、上レールに摺動可能に嵌め込まれて所望の位置で固定手段により上レールに固定される嵌め込み部材と、上レールに摺動可能に装着された上部ライナーと、嵌め込み部材並びに上部ライナーから夫々垂下され且つ下端に大径の鍔部を有する支持軸と、折戸の両端上部の相対する折りたたみ面に取り付けられた保持部材と、折戸の一端下部に配置される下部固定部と、折戸の他端下部に設けられて下レールに沿って滑走する下部ライナーとを含み、
前記保持部材は支持軸の鍔部を受け入れて脱出を阻止するロック部と導入時に鍔部をガイドする傾斜面とをを備え、且つ前記各支持軸は嵌め込み部材並びに上部ライナーに対して上下に移動可能に保持されており、
前記下部固定部は、下レールに固定されて折戸からのピン部材を定着させるピン受け部材を備えている折戸の支持装置。
【請求項２】
前記保持部材は、前記支持軸の鍔部を水平方向に導入するためのアリ溝を備え、このアリ溝の奥部に前記ロック部が形成されており、該ロック部はスプリングにより常時上方に付勢された状態で上下移動できるように保持部材に取り付けられ且つ導入された鍔部を下方から弾力的に受け止める凹部を有する弾性受け具を備えており、該弾性受け具はこれを下動させるための操作部を備えている請求項１に記載の折戸の支持装置。
【請求項３】
前記嵌め込み部材の固定手段は着脱可能な固定ネジと板ナットとを含み、板ナットと嵌め込み部材との間で上レールの左右内側面にレール長さ方向に沿って形成された凸状部を挟み込んで固定ネジで締め付けることにより、嵌め込み部材を上レールに固定するように形成されている請求項１または請求項２に記載の折戸の支持装置。
【発明の詳細な説明】
【技術分野】
【０００１】
本発明は、自重が下レールに負荷される下走り式（地上走行式）の折戸の支持装置に関するもので、殊に、下走り式折戸を上下のレールに簡単に組み付けることのできる折戸支持装置に関するものである。
【背景技術】
【０００２】
一般に折戸はセンターでヒンジにより連結された左右一対の戸板で形成され、枠体の開口部に敷設された上下のレールに組み付けられている。組み付けに際して、下走り式の折戸にあっては、多くの場合、上下のレールに固定した軸受け部材（特許文献１並びに２参照）に折戸の一端部の上下端面から突出させた軸（ピン）を嵌め込んで定着させたあと、折戸の他端部の上下端面から突出させた軸（ライナー）を上下レールに嵌めこんで取り付けられている。
【特許文献１】実開平４−２８８１号公報
【特許文献２】特開平８−７４４６６号公報
【発明の開示】
【発明が解決しようとする課題】
【０００３】
しかし上記の従来手段では、下走り式折戸の上下を固定軸受け部材で定着させる作業が面倒であり、殊に折戸の背丈が高い場合は上部は作業者の手が届かないので困難であると共に、定着させた後他方の折戸端部の軸（ライナー）をレールに嵌め込まなければならないので作業工数が多く、大変面倒であった。
【０００４】
そこで本発明は、下走り式折戸を作業者一人で短時間で簡単に取り付けることができると共に、ガタツキ無く確実に組み込むことのできる下走り式折戸の支持装置を、簡単な機構により提供することを主たる目的とするものである。
【課題を解決するための手段】
【０００５】
上記目的を達成する為に本発明では次のような技術的手段を講じた。即ち、本発明の折戸の支持装置にあっては、ヒンジによって連結された左右一対の戸板からなる折戸と、折戸を取り付ける枠体の開口部の上下に設けられた上レール並びに下レールと、上レールに摺動可能に嵌め込まれて所望の位置で固定手段により上レールに固定される嵌め込み部材と、上レールに摺動可能に装着された上部ライナーと、嵌め込み部材並びに上部ライナーから夫々垂下され且つ下端に大径の鍔部を有する支持軸と、折戸の両端上部の相対する折りたたみ面に取り付けられた保持部材と、折戸の一端下部に配置される下部固定部と、折戸の他端下部に設けられて下レールに沿って滑走する下部ライナーとを含み、前記保持部材は支持軸の鍔部を受け入れて脱出を阻止するロック部と導入時に鍔部をガイドする傾斜面とを備え、且つ前記各支持軸は嵌め込み部材並びに上部ライナーに対して上下方向に移動調整可能に保持されており、前記下部固定部は、下レールに固定されて折戸からのピン部材を定着させるピン受け部材を備えている構成としたものである。かかる構成によれば、左右の戸板を折り込む操作だけで、上レールに取り付けた嵌め込み部材並びに上部ライナーの鍔部と戸板の保持部材とをワンタッチで簡単に連結保持させることができるとともに、支持軸が嵌め込み部材及び上部ライナーに対して夫々上下に移動可能なように組み込まれているので、支持軸の鍔部と保持部材のロック部との相対位置が取り付け誤差等により多少上下にずれていても、導入時に鍔部が弾性受け具の傾斜面にガイドされて支持軸が上下に自動調整され確実に鍔部を保持部材のロック部に導入することができる。
【０００６】
ここで上記にいう開口部とは、家具やクローゼット等の箱物収納枠体の物品出し入れ口の他に、浴室や小物収納室、間仕切り等の出入り口全般をいう。
【０００７】
上記本発明の折戸の支持装置において、前記保持部材が、前記支持軸の鍔部を水平方向に導入するためのアリ溝を備え、このアリ溝の奥部に前記ロック部が形成されており、該ロック部はスプリングにより常時上方に付勢された状態で上下移動できるように保持部材に取り付けられ、且つ導入された鍔部を下方から弾力的に受け止める凹部を有する弾性受け具を備えており、該弾性受け具はこれを下動させるための操作部を備えている構成とすることができる。かかる構成によれば、鍔部を保持部材のロック部に保持させた姿勢において、鍔部が弾性受け具の凹部に嵌り込んで弾性受け具の弾力とアリ溝の下縁段部との間で挟まれてすきまやガタツキの無い状態で確実に保持部材に保持させることができ、これにより折戸開閉時や走行時にブレ等の発生を無くしてスムースに作動させることができる
【０００８】
さらに、本発明の折戸の支持装置は、前記嵌め込み部材の固定手段が着脱可能な固定ネジと板ナットとを含み、板ナットと嵌め込み部材との間で上レールの左右内側面にレール長さ方向に沿って形成された凸状部を挟み込んで固定ネジで締め付けることにより、嵌め込み部材を上レールに固定するように形成されている構成とすることができる。かかる構成によれば、固定ネジを締め付けることにより嵌め込み部材を上レールの所望の位置で定着固定することができると共に、嵌め込み部材の固定ネジ並びに板ナットを取り外すことによって嵌め込み部材を上部ライナーとしても使用することができる
【発明の効果】
【０００９】
本発明によれば、下走り式折戸を作業者一人で短時間で簡単に取り付けることができると共に、ガタツキ無く確実に組み込むことのできる下走り式折戸の支持装置を、簡単な機構により提供することができる。
【発明を実施するための最良の形態】
【００１０】
図１〜図６は本発明にかかる折戸の支持装置の一実施例を示すものであって、符号１で家具やクローゼット等の枠体の開口部を開閉する折戸を示す。この折戸１は、センターヒンジ２によって折畳み可能に連結された左右一対の戸板１ａ、１ｂからなる。更にこの折戸支持装置は、前記開口部の上下に設けられた上レール３並びに下レール４と、上レール３に摺動可能に嵌め込まれて所望の位置で固定手段５により上レール３に固定される嵌め込み部材６と、上レール３に摺動可能に装着された上部ライナー７と、嵌め込み部材６並びに上部ライナー７から夫々垂下され且つ下端に大径の鍔部８を有する支持軸９と、折戸の戸板１ａ、１ｂの両端上部の相対する折りたたみ面に取り付けられた保持部材１０と、折戸の戸板１ａの一端部下部に配置された下部固定部２０と、折戸の戸板１ｂの他端下部に設けられて下レール４に沿って滑走する下部ライナー３０とを備えている。前記支持軸９は上端に大径の頭部９ａを有し、この大径の頭部９ａが嵌め込み部材６及び上部ライナー７の垂直なガイド穴６ａ、７ａに摺動可能に装着されており、これにより嵌め込み部材６及び上部ライナー７に対して夫々上下に移動可能なように組み込まれている。
【００１１】
前記嵌め込み部材６は、図１に詳しく示すように、左右両側面に設けたスライド溝６ｂが上レール３の左右内側面にレール長さ方向に沿って形成された凸状部３ａに摺動可能に嵌め込まれて上レール３に沿ってスライドできるように形成されている。また、これの固定手段５は回動頭部５ｃを下にした固定ネジ５ａと板ナット５ｂとを含み、板ナット５ｂと嵌め込み部材６との間で上レールの凸状部３ａを挟み込んで固定ネジ５ｂを下方から締め付けることにより、嵌め込み部材６を上レール１の所望の位置で定着固定できるように形成されている。また、上部ライナー７は図５に示すように、左右両側面にスライド溝７ｂを備え、このスライド溝７ａが上レール３の凸状部３ａに摺動可能に嵌め込まれて上レール３に沿ってスライドできるように形成されている。
【００１２】
前記保持部材１０は、前記支持軸９の鍔部８を水平方向に導入するためのアリ溝１１と、アリ溝１１に導入された鍔部８をロックするロック部１２とを備えている。このアリ溝１１は鍔部８を支持軸９と共に水平方向から導入するが上方への抜脱が阻止されるように下部が幅広に形成されている。
また、前記ロック部１２はスプリング１３により常時上方に付勢された状態で上下移動できるように保持部材１０に取り付けられた弾性受け具１４を有し、該弾性受け具１４は導入された鍔部を下方から弾力的に受け止める凹部１５を備えている。また弾性受け具１４は導入時に鍔部８をガイドする傾斜面１６を備え、この傾斜面１６を含む部分が弾性受け具１３を指先等で下動させてアリ溝１１の入口を開放するための操作部１７を兼ねている。
【００１３】
また、前記下部固定部２０は、下レール４にビス２４で固定され且つピン受穴２１を有するピン受け部材２２と、折戸の戸板１ａに取り付けられて前記ピン受穴２１に嵌合するピン部材２３とからなり、ピン部材２３をピン受穴２１に嵌合することによって折戸荷重がピン受け部材に負荷されるように形成されている。ピン２３は戸板１ａに埋め込まれた筒状のケース２５にナット部材２６を介して上下調節可能に装着されている。尚、前記ピン受穴２１は上下に貫通させてピン部材２３が下レール４の底面に当接するようにしてもよい。
【００１４】
折戸の戸板１ｂに設けられた下部ライナー３０は、図６に示すようにスプリング３１によって弾力的に下方に突出する軸部材３２と、該軸部材３２の先端に設けられて下レール４にスライド可能に嵌合するスライド部３３とから形成されている。
【００１５】
上記の構成において、引戸１を上下レール３、４に組み付ける場合、先ず、引戸１の左右の戸板１ａ、１ｂを図３に示すように平面視Ｖの字状に折り込んだ姿勢で、戸板１ａの下部のピン部材２３を下レール４に固定したピン受け部材２２のピン受穴２１に嵌合させ且つ他方の戸板１ｂの下部ライナー３０を下レール４に嵌め込む。この時、上部レール３に予め取り付けておいた嵌め込み部材６並びに上部ライナー７はＶの字に折り込んだ左右の戸板１ａ、１ｂの間に位置するようにしておく。この状態、即ち図２並びに図３の状態から戸板１ａ、１ｂを互いに近接する方向（折りたたみ方向）に移動させることにより、嵌め込み部材６並びに上部ライナー７から垂下させた支持軸９の鍔部８が戸板１ａ、１ｂに設けられた保持部材１０のアリ溝１１に導入される。この場合、支持軸９が嵌め込み部材６及び上部ライナー７に対して夫々上下に移動可能なように組み込まれているので、鍔部８とアリ溝１１との相対位置が製作誤差により多少上下にずれていても、支持軸９が上下に自動調整されて確実に鍔部８をアリ溝１１に導入することができる。この鍔部８の侵入により弾性受け具１４の傾斜面１６が押しつけられて弾性受け具１４がスプリング１３に抗して下動し、鍔部８が弾性受け具１４の凹部１５に嵌り込む。この位置で弾性受け具１４はスプリング１３により元位置に復帰してアリ溝１１の出口を閉鎖して鍔部８のアリ溝１１からの脱出が阻止される(図４参照）。最後に固定ネジ５ｃを締め付けて嵌め込み部材６を固定する。
これにより、左右の戸板１ａ、１ｂを折り込む操作だけで、上レール３の嵌め込み部材６並びに上部ライナー７に折戸１を簡単に保持させることができる。また補修のために折戸１を取り外す場合には、指先等で操作部１７を操作して弾性受け具１４を下動させてアリ溝１１の入口を開放させればよい。
尚、上記工程において、嵌め込み部材６を予め上レール３の設定された位置に固定しておいてもよい。
【００１６】
また、鍔部８を保持部材１０のロック部１２に保持させた姿勢において、鍔部８が弾性受け具１４の凹部１５に嵌り込んで弾性受け具１４の弾力とアリ溝１１の下縁段部１１ａとの間で挟まれているので、鍔部８をすきまやガタツキ無く確実に保持部材１０に保持させることができ、そのため折戸開閉時や走行時にブレ等の発生を無くしてスムースに作動させることができる。
【００１７】
本実施例では、折戸１の上部を支持するのに嵌め込み部材６はと上部ライナー７を用いたが、嵌め込み部材６の固定ネジ５ａ並びに板ナット５ｂを取り外して嵌め込み部材６を上部ライナー７として使用することも可能である。
【００１８】
以上本発明の実施例について説明したが、本発明は必ずしもこれらの実施例構造のみに限定されるものでない。例えば、折戸１の下部を支える下部固定部２０はピン２３を下レール４に定着させたピン受け部材２２のピン受穴２１に嵌めこんで折戸の一端部を定着することができるものであればどのような構造であってもよい。また下部ライナー３０は単にピン状のものであってもよく、戸車であってもよい。その他本発明ではその構成要件を備え、かつ本発明の目的を達成し、上記の効果を奏する範囲内において適宜改変して実施することができるものである。
【産業上の利用可能性】
【００１９】
本発明に係る折戸の支持装置は、家具や建具等の折戸全般に利用することが可能である。
【図面の簡単な説明】
【００２０】
【図１】本発明に係る折戸の支持装置の一実施例を示すものであって、折戸に取付けられる保持部材と上レールに取り付けられる嵌め込み部材を示す分解斜視図。
【図２】上記折戸の取付工程を示す断面図。
【図３】上記折戸の取付工程を示す概略的な平面図。
【図４】上記折戸の取り付け状態を示す断面図。
【図５】本発明に係る折戸の支持装置の上部ライナーを示す斜視図。
【図６】本発明に係る折戸の支持装置の下部ライナーを示す断面図。
【符号の説明】
【００２１】
１  折戸
１ａ、１ｂ  戸板
２  センターヒンジ
３  上レール
４  下レール
５  固定手段
６  嵌め込み部材
７  上部ライナー
８  鍔部
９  支持軸
１０  保持部材
１１  アリ溝
１２  ロック部
１３  スプリング
１４  弾性受け具
１５  凹部
１６  傾斜面
１７  操作部
２０  下部固定部
３０  下部ラーナー
【図１】
2010121362.tif 000003
【図２】
2010121362.tif 000004
【図３】
2010121362.tif 000005
【図４】
2010121362.tif 000006
【図５】
2010121362.tif 000007
【図６】
2010121362.tif 000008